(57)【特許請求の範囲】
【請求項１】
少なくとも１つの通信モードを使用し且つＩＣカードに適合する読み取り装置（５）を備えた任意の通信端末（３）を介して、所定のサーバ（４）の選択された少なくとも１つの用途にユーザがアクセスできるようにするためのＩＣカード（１）であって、
前記端末（３）が使用する前記少なくとも１つの通信モードと前記少なくとも１つの選択された用途とに特有のパラメータセットの記憶手段（６）と、
ＩＣカードを挿入する前記端末（３）で使用可能な前記少なくとも１つの通信モードの認識手段（７）と、
前記記憶手段（６）および前記認識手段（７）に接続され、前記端末が認識した通信モードと前記選択された用途とに対応するパラメータセットの選択手段（９）と、
選択された用途への前記端末（３）からのアクセスを可能にするために前記端末（３）に選択したパラメータセットを伝送する手段（１１）とを含むＩＣカード（１）。
【請求項２】
各パラメータセットが、アドレスと、プロトコルタイプと、プロトコルのパラメータと、安全性および前記選択された用途へのアクセス権に関するデータとを含み、各パラメータセットのアドレスおよびプロトコルタイプが、端末（３）の使用可能な通信モードの１つに適合することを特徴とする請求項１に記載のＩＣカード。
【請求項３】
前記端末（３）が、複数の使用可能な通信モードを有し、さらに、前記選択手段（９）に接続された、優先基準の記憶手段（１０）を含むことを特徴とする請求項１または２に記載のＩＣカード。
【請求項４】
前記優先基準が、通信モードの最大伝送速度、前記サーバと交換される情報の品質、所定の通信モードに対する端末（３）とサーバ（４）との通信費用といった群に含まれる基準であることを特徴とする請求項３に記載のＩＣカード。
【請求項５】
記憶手段（６）が、２つの異なる用途にそれぞれ対応する少なくとも２つのパラメータセットを含むことを特徴とする請求項１から４のいずれか一項に記載のＩＣカード。
【請求項６】
少なくとも１つの通信モードを使用し、請求項１から５のいずれか一項に記載のＩＣカード（１）に適合する読み取り装置（５）を備え、使用可能な各通信モードのアイデンティティをＩＣカード（１）の前記認識手段（７）に供給する手段（１３）と、前記伝送手段（１１）により送られるパラメータセットの回収手段（１５）と、前記選択された用途へのアクセスを設定するために伝送されるこのパラメータセットの利用手段（１７）とを含む通信端末。
【請求項７】
有線電話端末、セルラー電話端末、無線電話端末、マイクロコンピュータといった群のタイプの端末（３）であることを特徴とする請求項６に記載の端末。
【請求項８】
請求項１から５のいずれか一項に記載の少なくとも１つのＩＣカード（１）と、請求項６または７に記載の少なくとも１つの端末（３）と、少なくとも１つの用途を持つ少なくとも１つのサーバ（４）とを含むことを特徴とする通信システム。
【請求項９】
少なくとも１つの通信モードを使用し且つＩＣカードに適合する読み取り装置（５）を備えた任意の通信端末（３）を介して所定のサーバ（４）の選択された少なくとも１つの用途にユーザがアクセスできるようにし、
前記端末が使用可能な前記少なくとも１つの通信モードと前記少なくとも１つの選択される用途とに特有のパラメータセットの記憶ステップ（３０）と、
ＩＣカードを挿入する前記端末が使用可能な前記少なくとも１つの通信モードの認識ステップ（３２）と、
前記端末が認識した通信モードと前記少なくとも１つの選択された用途とに対応するパラメータセットの選択ステップ（３４）と、
選択された用途への前記端末からのアクセスを可能にするために前記端末に選択されたパラメータセットを伝送するステップ（３６）とを含む方法。
【請求項１０】
記憶された各パラメータセットが、アドレスと、プロトコルタイプと、プロトコルのパラメータと、安全性および前記選択された用途へのアクセス権に関するデータとを含み、各パラメータセットのアドレスおよびプロトコルタイプが、前記端末で使用可能なただ１つの通信モードに適合することを特徴とする請求項９に記載の方法。
【請求項１１】
前記端末（３）が、複数の通信モードを使用可能であり、認識される通信モードの内の１つの通信モードの選択ステップ（３４）の際に、優先基準を考慮に入れることを特徴とする請求項９または１０に記載の方法。
【請求項１２】
前記優先基準が、通信モードの最大伝送速度、前記サーバと交換される情報の品質、所定の通信モードに対する端末とサーバとの通信費用といった群に含まれる基準であることを特徴とする請求項１１に記載の方法。
【請求項１３】
パラメータセットが、選択された用途のサーバ（４）からダウンロードされることを特徴とする請求項９から１２のいずれか一項に記載の方法。
【発明の詳細な説明】
【０００１】
【発明の属する技術分野】
本発明は、遠隔用途へのアクセスを可能にするＩＣチップと、このＩＣチップに組み合わされる端末および通信システムと、このＩＣチップにより遠隔用途へアクセスするための方法とに関する。
【０００２】
より一般的には、本発明の領域は、有線通信システム、たとえばＧＳＭ（「グローバル移動体システム」）型のセルラー通信システム、たとえばＤＥＣＴ（「欧州デジタルコードレス通信」）型またはＣＴＳ（「コードレス電話システム」）型の無線電話システム、または、たとえばインターネット網へのアクセスを可能にする多機能モデム等を装備したマイクロコンピュータなどの通信システムの領域である。
【０００３】
【従来の技術】
サービスの改善をめざして、ますます多くの企業が、顧客に対して遠隔用途の使用を可能にし、それによって顧客が、たとえば企業の提案、その製品および価格を容易に調べるとともに様々な取引を実施できるようにしている。かくして顧客は、たとえばインターネット網へのアクセスモデムを備えたマイクロコンピュータや「ミニテル（Ｍｉｎｉｔｅｌ）」という名称で知られたビデオテックス端末のような各種の端末を介して、銀行から利用提供される用途に関して口座の残高を調べて振り替えをしたり、あるいは旅行代理店で時刻表や空席を調べて列車または飛行機のチケットを注文したりすることができる。
【０００４】
このような状況は、ユーザにとっては、いささかまごつくものである。というのも各端末に対して、電話番号、ＩＰ（「インターネットプロトコル」）アドレスその他の多数のパラメータを端末に知らせ且つ供給しなければならないので、特に複数の異なる用途にアクセスしたい場合には混乱を招くことがあるからである。
【０００５】
事実、マイクロコンピュータを使用する場合、選択された用途に対して例えば移動電話またはミニテルなどを用いた場合と同様にアクセスすることはない。
【０００６】
【発明が解決しようとする課題】
本発明は、ユーザに対して任意の端末から遠隔用途へのアクセスを簡略化することをめざすものである。
【０００７】
【課題を解決するための手段】
このため、本発明は、少なくとも１つの通信モードを使用し且つＩＣカードに適合する読み取り装置を備えた任意の通信端末を介して、所定のサーバの選択された少なくとも１つの用途にユーザがアクセスできるようにするためのＩＣカードを目的とし、このＩＣカードが、
前記端末が使用する前記少なくとも１つの通信モードと前記少なくとも１つの選択された用途とに特有のパラメータセットの記憶手段と、
ＩＣカードを挿入する前記端末で使用可能な前記少なくとも１つの通信モードの認識手段と、
前記記憶手段および前記認識手段に接続され、前記端末が認識した通信モードと前記選択された用途とに対応するパラメータセットの選択手段と、
選択された用途への前記端末からのアクセスを可能にするために、前記端末に選択したパラメータセットを伝送する手段とを含むことを特徴とする。
【０００８】
本発明によるＩＣカードは、１つまたは複数の以下の特徴を含むことができる。
【０００９】
−  各パラメータセットが、アドレスと、プロトコルタイプと、プロトコルのパラメータと、安全性および前記選択された用途へのアクセス権に関するデータとを含み、各パラメータセットのアドレスおよびプロトコルタイプが、端末の使用可能な通信モードのうちの１つに適合する。
【００１０】
前記端末が、使用可能な複数の通信モードを有する場合、カードはさらに、前記選択手段に接続された、優先基準の記憶手段を含む。
【００１１】
前記優先基準が、通信モードの最大伝送速度、前記サーバと交換される情報の品質、所定の通信モードに対する端末とサーバとの通信費用といった群に含まれる基準である。
【００１２】
記憶手段が、２つの異なる用途にそれぞれ対応する少なくとも２つのパラメータセットを含む。
【００１３】
本発明はさらに、少なくとも１つの通信モードを使用し、上記のようなＩＣカードに適合する読み取り装置を備え、使用可能な各通信モードのアイデンティティをＩＣカードの前記認識手段に供給する手段と、前記伝送手段により送られるパラメータセットの回収手段と、前記選択された用途へのアクセスを設定するために伝送されるこのパラメータセットの利用手段とを含む通信端末を目的とする。
【００１４】
別の特徴によれば、端末は、有線電話端末、セルラー電話端末、無線電話端末、マイクロコンピュータといった群のタイプの端末である。
【００１５】
本発明はさらに、上記のような少なくとも１つのＩＣカードと、上記のような少なくとも１つの端末と、少なくとも１つの用途をもつ少なくとも１つのサーバとを含む通信システムを目的とする。
【００１６】
本発明はまた、少なくとも１つの通信モードを使用し且つＩＣカードに適合する読み取り装置を備えた任意の端末を介して、所定のサーバの選択された少なくとも１つの用途にユーザがアクセスできるようにする方法を目的とし、この方法は、
前記端末が使用可能な前記少なくとも１つの通信モードと前記少なくとも１つの選択される用途とに特有のパラメータセットの記憶ステップと、
ＩＣカードを挿入する前記端末で使用可能な前記少なくとも１つの通信モードの認識ステップと、
前記端末が認識した通信モードと前記少なくとも１つの選択された用途とに対応するパラメータセットの選択ステップと、
選択された用途への前記端末からのアクセスを可能にするために、前記端末に選択したパラメータセットを伝送するステップとを含むことを特徴とする。
【００１７】
本発明による方法はさらに、１つまたは複数の以下の特徴を含むことができる。
【００１８】
記憶された各パラメータセットが、アドレスと、プロトコルタイプと、プロトコルのパラメータと、安全性および前記選択された用途へのアクセス権に関するデータとを含み、各パラメータセットのアドレスおよびプロトコルタイプが、端末で使用可能なただ１つの通信モードに適合する。
【００１９】
前記端末が、複数の通信モードを使用可能である場合、認識される通信モードの内の１つの通信モードの選択ステップの際に、優先基準を考慮に入れる。
【００２０】
前記優先基準が、通信モードの最大伝送速度、前記サーバと交換される情報の品質、所定の通信モードに対する端末とサーバとの通信費用といった群に含まれる基準である。
【００２１】
パラメータセットが、選択された用途のサーバからダウンロードされる。
【００２２】
本発明の他の特徴および長所は、添付図に関して限定的ではなく例としてあげられた以下の説明により明らかになるだろう。
【００２３】
【発明の実施の形態】
図１は、本発明による通信システムのブロック図を示す。この通信システムは、ＩＣカード１、端末３、サーバ４を含む。
【００２４】
ＩＣカード１は、サーバ４との少なくとも１つの通信モードを使用し且つＩＣカードに適合する読み取り装置５を備えた通信端末３を介して、サーバ４の選択された少なくとも１つの用途にユーザがアクセスできるように構成されている。
【００２５】
通信端末３は、有線電話端末、セルラー電話端末、無線電話端末、またはマイクロコンピュータとすることができるという意味で、任意の端末である。従ってカードは、様々な群の端末と共に使用できる。
【００２６】
選択された用途にユーザがアクセスできる異なる全ての端末で、特徴が共通であり、これらの端末は、少なくとも１つ、さらには複数の通信モードを使用可能であって、全てがＩＣカード１のために適合する読み取り装置５を備えている。
【００２７】
ＩＣカード１は、前記端末３により使用される前記少なくとも１つの通信モードと選択される用途とに特有のパラメータセットの記憶手段６を含む。各パラメータセットは、たとえばアドレスと、プロトコルタイプと、プロトコルのパラメータと、安全性および前記選択された用途へのアクセス権に関するデータとを含む。もちろん、各パラメータセットのアドレスおよびプロトコルタイプが、様々な群の端末により使用可能な１つの通信モードに適合する。
【００２８】
ＩＣカード１が、異なる複数の用途へのアクセスを可能にする場合、少なくとも１つ、好適には複数のパラメータセットが、各用途のための記憶手段６で記憶される。
【００２９】
カード１はまた、カードが挿入される前記端末３が使用可能な１つまたは複数の通信モードの認識手段７を含む。
【００３０】
さらにカード１は、前記端末が認識した通信モードと、前記選択される用途とに対応して記憶されたパラメータセットの選択手段９を含み、この手段９は、手段６、７に接続されている。
【００３１】
選択手段９はさらに、選択時に考慮される優先基準の記憶手段１０に接続される。このような優先基準は特に、カードを挿入する端末が、後述するように複数の通信モードを使用可能である場合に特に有効である。
【００３２】
優先基準は、端末の通信モードの最大伝送速度、前記サーバと交換される情報の品質、あるいはまた所定の通信モードのための端末とサーバとの間の通信費用とすることができる。
【００３３】
選択手段９の出力は、前記端末で選択されたパラメータセットの伝送手段１１に接続されて、選択された用途への前記端末からのアクセスを可能にする。
【００３４】
端末３の読み取り装置５はまた、前記端末が使用可能な各通信モードのアイデンティティをＩＣカード１の前記認識手段７に供給する手段１３と、前記伝送手段から送られるパラメータセットの回収手段１５とを含む。
【００３５】
回収手段１５の出力は、伝送手段１１から送られるパラメータセットの利用手段１７に接続され、サーバ４の前記選択された用途へのアクセスを設定する。  通信システムは、図２にフローチャートとして示した本発明の方法に従って作動する。
【００３６】
ユーザが、様々な群の１つの端末３を介してサーバ４の選択された１つまたは複数の用途にアクセスできるようにするために、通信モードと１つまたは複数の選択された用途とに特有の少なくとも１つ、好適には複数のパラメータセットを記憶ステップ３０で記憶手段６に記憶する。このような記憶ステップは、たとえばアクセスを許可してＩＣカード１を発行する会社が実施してもよいし、あるいはダウンロードによって実施してもよい。
【００３７】
パラメータセットが記憶手段６に記憶されると、本発明によるＩＣカード１が使えるようになる。
【００３８】
次に、端末３にＩＣカード１を挿入する。認識ステップ３２では、端末の手段１３が、端末が使用できる通信モードを認識手段７に供給する。
【００３９】
次いで選択ステップ３４では、前記端末が認識する１個の通信モードと、選択された用途とに対応するパラメータセットを選択する。このような選択は、記憶手段１０に記憶された優先基準を考慮しながら行われ、たとえば大量の交換情報量を有する。
【００４０】
さらに伝送ステップ３６で、伝送手段１１が前記端末３に選択されたパラメータセットを伝送し、後の作動ステップ３８で前記端末３から、選択された用途へのアクセスを作動可能にする。
【００４１】
このため、回収手段１５が選択されたパラメータセットを回収し、これを端末３の利用手段１７に転送する。
【００４２】
従って、本発明による通信システムおよびその方法は、サーバの選択された遠隔用途に対するユーザのアクセスを著しく単純化することができる。実際、同じ用途にアクセスする場合、ユーザは、各種の端末に関係なく利用することができる。ユーザにとって、選択される用途へのアクセスは明快である。
【００４３】
しかも、アイデンティティ供給手段１３を介して使用可能な通信モードを端末３が供給するカード１と端末３との間の最初のネゴシエーションにより、選んだ用途に対して最も適切な通信モードを選択できる。
【００４４】
かくして、たとえば口座の残高を調べる用途の場合、インターネット網を介して通信を行う必要はない。ＳＭＳサービス（「ショートメッセージサービス」）を介した短いメッセージによる情報交換で十分であり且つ安価である。
【図面の簡単な説明】
【図１】本発明による通信システムのブロック図である。
【図２】本発明による方法を示すステップのフローチャートである。
【符号の説明】
１  ＩＣカード
３  端末
４  サーバ
５  読み取り装置
６  パラメータセットの記憶手段
７  通信モードの認識手段
９  パラメータセットの選択手段
１０  優先基準の記憶手段
１１  パラメータセットの伝送手段
１３  アイデンティティ供給手段
１５  パラメータセットの回収手段
１７  パラメータセットの利用手段
３０  パラメータの記憶ステップ
３２  通信モードの認識ステップ
３４  パラメータセットの選択ステップ
３６  パラメータセットの伝送ステップ
【図１】
0004195156.tif 000002
【図２】
0004195156.tif 000003